(57)【要約】【課題】  足裏を棒体がロールして押圧し、長時間使用できる健康具を提供する。【解決手段】  履物の底板または中敷の表面に、底面３が前方向に上昇する傾斜面である複数の凹部２または溝を縦に並べ、それら凹部２または溝の各々の底に、回転自在に、かつ、取り出し可能に円柱状の棒体４を挿入し、履物を着用して歩行することにより、足裏が踵から足先で順次底または中敷の表面と棒体４を押し、棒体４は凹部２または溝の底３の傾斜面を回転上昇移行し、棒体４が足裏をロール押圧して刺激し、反対に足先部が上がって踵部から履物が接地すると、足裏による棒体４への押圧が解放され、棒体４は逆回転して凹部２または溝の底に戻ることを繰り返すことを可能とする。【選択図】  図１
2005323624.tif 000002
【特許請求の範囲】
【請求項１】
表面に、底面が前方向に上昇する傾斜面である複数の凹部または溝を縦に並べて設けた底板または中敷と、それら底板または中敷の凹部または溝の各々の底に、回転自在に、かつ、取り出し可能に挿入した円柱状の棒体とを備えてなる履物であって、前記履物を着用して歩行することにより、踵部から足先部方向へ接地し、それにつれて足裏が踵から足先で順次前記底または中敷の表面と前記棒体を押し、前記棒体は前記凹部または溝の傾斜面を回転上昇移行し、該棒体が足裏をロール押圧して刺激し、反対に足先部が上がって踵部から履物が接地すると、足裏による棒体への押圧が解放され、棒体は逆回転して前記凹部または溝の底に戻ることを繰り返すことを特徴とする健康履物。
【請求項２】
台盤の表面に、底面が前方向に上昇する傾斜面である複数の凹部または溝を縦に１列設けるか、または、その列を横に２列並べて設け、それら凹部または溝の各々の底に、円柱状の棒体を回転自在に、かつ、取り出し可能に挿入してなり、前記台盤の表面に足を載置し、足裏を前記台盤の表面を押さえながら前進させることにより、前記棒体が足裏で押されて回転しながら前記凹部または溝の傾斜面を上昇移行し、その上昇移行により足裏を刺激し、反対に足裏を上げるかまたは後退させることにより、棒体は逆回転しながら前記凹部または溝の底に戻ることを繰り返すことを特徴とする足裏刺激の足踏み台。
【発明の詳細な説明】
【技術分野】
【０００１】
この発明は、足裏刺激の履物の底、中敷、および足踏み台の健康具に関するものである。
【背景技術】
【０００２】
従来、特許文献１に記載された健康サンダルのように、底の表面で、ツボ相当位置に突部を設け、歩行により突部が足裏を押して刺激する履物がある。
また、台に多数の突起を立設した足踏み台がある。
【特許文献１】実開平６−７２４０３号公報（要約、図１、図３）
【発明の開示】
【発明が解決しようとする課題】
【０００３】
特許文献１に記載された健康サンダルのような履物は、クッション性がなく、また、突部が足裏を押すためのもので、突部の位置が一定しており、或る程度の硬さがあるので、歩行を続けると足裏が痛くなり、長時間の歩行ができない。
また、上記足踏み台では、突起が固定されているので、足踏み台に載って足踏みした場合には、突起に体重がかかり、突起が足裏の同じ位置を強く押して痛く、長時間使用できない。
【課題を解決するための手段】
【０００４】
表面に、底面が前方向に上昇する傾斜面である複数の凹部または溝を縦に並べて設けた底板または中敷と、それら底板または中敷の凹部または溝の各々の底に、回転自在に、かつ、取り出し可能に挿入した円柱状の棒体とを備えてなる履物であって、前記履物を着用して歩行することにより、踵部から足先部方向へ接地し、それにつれて足裏が踵から足先で順次前記底または中敷の表面と前記棒体を押し、前記棒体は前記凹部または溝の傾斜面を回転上昇移行し、該棒体が足裏をロール押圧して刺激し、反対に足先部が上がって踵部から履物が接地すると、足裏による棒体への押圧が解放され、棒体は逆回転して前記凹部または溝の底に戻ることを繰り返すことを可能とする。
【０００５】
台盤の表面に、底面が前方向に上昇する傾斜面である複数の凹部または溝を縦に１列設けるか、または、その列を横に２列並べて設け、それら凹部または溝の各々の底に、円柱状の棒体を回転自在に、かつ、取り出し可能に挿入して足踏み台を構成し、前記台盤の表面に足を載置し、足裏を前記台盤の表面を押さえながら前進させることにより、前記棒体が足裏で押されて回転しながら前記凹部または溝の傾斜面を上昇移行し、その上昇移行により足裏を刺激し、反対に足裏を上げるかまたは後退させることにより、棒体は逆回転しながら前記凹部または溝の底に戻ることを繰り返すことを可能とする。
【発明の効果】
【０００６】
この発明に係る健康具は、足裏の特定のツボに限定されず、棒体が足裏をロールして押すので、足裏の各所のツボを押圧刺激することができる。
また、この健康具は、棒体が足裏をロール押圧するので、長時間使用しても痛みを感じない。
この健康具が履物の底または中敷である場合には、凹部または溝の底面が、前方向に緩やかに上昇傾斜しているので、歩行中、踵部から足先方向に順次足裏が棒体（ローラー）を押して棒体が前方向に回転上昇移行し、履物の先が上がると棒体への押圧が解除され、棒体が反対に回転して逆に移行し、踵部の接地時には自然に凹部底に戻ることを繰り返す。そして、棒体の回転上昇移行時に、棒体が足裏を押して刺激する。
この健康具が足踏み台である場合には、足を載せたまま足を前進させる（前方向にずらす）と、棒体は凹部または溝の傾斜面を回転して上昇し、足裏を刺激し、台の上面から上げると、棒体は回転して凹部または溝の底に戻る。この足裏の運動により、棒体による足裏のロール刺激を繰り返す。
【発明を実施するための最良の形態】
【０００７】
図中１は履物の中敷である。中敷１の材料は、木、金属、ゴム、プラスチック等いずれの材料でもよい。
中敷１には、１または複数の凹部２を設ける。
凹部２の位置は、踵部、中間部、足先部、その他の箇所のいずれか１ケ所または複数の箇所とする。
凹部２を複数設ける場合には、中敷の上面に前後に並べる。図１に示す中敷１の各凹部２は、中敷１の縦軸に直角である。
【０００８】
凹部２は、底面３が、足先方向に緩やかな昇り傾斜面とする。底面３は、平面が好ましく、僅かに膨れ上がった曲面でもよい。
【０００９】
この中敷を履物の底に載置して、凹部２の中に、円柱状の棒体（ローラー）４を回転自在に、かつ、取り出し可能に、中敷１の長手軸に対して直角に挿入する。
棒体４は、材質を限定せず、木、金属、ゴム、プラスチック等いずれの材料でもよいが、ＥＶＡが足触りがよいので好ましい。
棒体の直径は、凹部２の深さよりも長いものとする。ただし、わずかに長いものとするのが好ましい。
【００１０】
履物を着用しない状態では、凹部２の底面３が傾斜面であるので、棒体４は凹部底すなわち凹部２の中で後方側に位置する。
履物を着用すると、棒体４の面が中敷１の上面より僅かに突出しているので、足裏は棒体４に当接する位置で押される。                                                        
【００１１】
履物を着用して歩行すると、先ず、踵が地面から離れ、足裏による中敷上面の押圧箇所が、足裏から足先方向へと移行する。その移行に従って、足裏が棒体４を前方へ押し、棒体４は前方へ回転移行する。凹部２の底面３が、前方向に昇り傾斜しているので、棒体４が回転しながら、その上面が中敷１の上面より次第に高くなり、足裏を次第に強く押して刺激する。
【００１２】
次いで、歩行により、履物が地面から離れ、足先が上がって、履物の足先部が上がって踵部が着地し、踵が履物の踵部を押して、歩が進められる。足先が上がった状態では、棒体４は、足裏による押圧から解放されるので、傾斜した底面３を転げ降りて凹部底に戻る。
【００１３】
歩行の継続により、足裏による棒体４の押圧およびその解放が繰りかえし、棒体４のロール移行による足裏刺激が繰り返される。
【００１４】
図１に示す中敷は、複数の凹部が、平行に、長手軸に対して直角に設けられているが、図３に示すように、中敷の外側方向に、すなわち、右足用の場合には右側方向、左足用の場合には左側方向に、放射状に設ければ、歩行の際に、足裏が踵から親指方向に幾分回転状態で中敷を押圧するので、その押圧軌道に対応して棒体４が足裏をスムースにロール押圧して好ましい。
【００１５】
図４に示すものは足踏み台５である。
足踏み台５は、木、金属、ゴム、プラスチック等材料を問わない材質の台盤６の上面に、複数の凹部２を縦に並べた列を２列設けたものである。
各凹部２は、先に説明した中敷の凹部２と同じ構成であって、底面３は前方に向かって、図においては上方へ、緩やかに上昇傾斜している。
【００１６】
これ等凹部２内に棒体３を、凹部２の列の線に直角に、回転自在に、かつ、取り出し可能に挿入する。
各棒体３は、凹部底に位置する。
各棒体３の材質は、先に説明したものと同じである。
【００１７】
この足踏み台５を床の上に置き、足踏み台５の凹部２の縦の列毎に片足を置いて乗るか、または、床の上に置いた足踏み台５の前に椅子を置き、その椅子に座って両足裏を各凹部２の縦の列の上に載せる。そして、両足裏で棒体４を押しながら、両足を足踏み台５上でずらしながら前進後退を繰り返す。その際、棒体４が回転しながら凹部底の傾斜面３を上昇するので、棒体４が足裏を押して刺激する。この押しは特定位置を押すことなく、ロールしながらの押しであるので、押す位置は移動する。足踏み台５に載せる足裏の位置をずらすことにより足裏のツボを変更、選択して押すことができる。
足踏み台５は、前後を反対にしても使用できる。すなわち、凹部２の底面３の上昇方向を前方向にするか、または、後ろ方向にして使用できる。
【００１８】
履物の底の上面にも、中敷１の構成と同様に凹部２を設け、その凹部２に棒体４を挿入して健康履物とすることができる。その作用効果は中敷１について説明したのと同じである。    
【００１９】
前記履物の底、中敷および足士踏み台には、凹部３を設けたが、凹部３の代わりに、溝７を設けてもよい。
溝７の底面は、前方向に上昇する傾斜面とする。
【００２０】
図５は、中敷１ａの上面に溝７を３個、中敷１の縦軸に直角にして縦に並べたものである。  溝７は、中敷１の外側方向に放射状に設けてもよい。
溝７を放射状に設ける場合には、右足用の中敷では放射状に拡がった方の側方を右にし、左足用の中敷では放射状に拡がった方の側方を左とする。
履物の底も同様の構成にすることができる。
【００２１】
図６は、足踏み台５ａであって、台盤６に、縦軸に直角に、複数（図においては３個）の溝を縦に並べたものである。
溝は台盤６の右側方向に拡がる放射状に設けてもよい。
【００２２】
履物の底、中敷、および足踏み台の溝７には、棒体４を回転自在に、かつ、取り出し可能に挿入し、溝７の底に位置させる。
【００２３】
足踏み台５ａでは、各溝７に１本または２本の棒体を挿入する。
足踏．台が両足を載せる大きさのものである場合には、各溝に２本の棒体を挿入する。その場合には、各溝の２本の棒体は、左右別の足裏に当接するので、両足を交互に前進後退させて棒体を回転させることができる。
足踏み台５ａの溝７を、１列で台盤６の側方方向に拡がる放射状に設けた場合には、右足を載せる場合には、拡がる方向の側方を右にして置き、左足を載せる場合には、拡がる方向の側方を左にして置いて使用する。
【００２４】
中敷１ａおよび足踏み台５ａの使用方法および作用効果は、中敷１および足踏み台５と同じである。
【図面の簡単な説明】
【００２５】
【図１】中敷の平面図である。
【図２】中敷のＡ−Ａ断面図である。
【図３】他の実施の形態の中敷の平面図である。
【図４】足踏み台の平面図である。
【図５】他の実施の形態の中敷の平面図である。
【図６】他の実施の形態の足踏み台の平面図である。
【符号の説明】
【００２６】
１  中敷の台
２  凹部
３  底面
４  棒体
５  足踏み台
６  台盤
７  溝
【図１】
2005323624.tif 000003
【図２】
2005323624.tif 000004
【図３】
2005323624.tif 000005
【図４】
2005323624.tif 000006
【図５】
2005323624.tif 000007
【図６】
2005323624.tif 000008